(57)【要約】      （修正有）【課題】従来のクリップはグリップが収納出来ないか、収納したグリップの凹凸が嵩張る、或いはクリップを留めるための道具が必要な点である。【解決手段】スライドカバー展開時には、スライドカバーが板バネを開閉するためのグリップになり平坦部にあけた穴をフック等にかけることも可能でスライドカバー格納時には挟持物からのはみ出しを極力排し、薄く表面の凹凸を最小限にした単体で開閉可能なクリップである。【選択図】図９
2009220550.tif 000002
【特許請求の範囲】
【請求項１】
板バネの左右両辺２ヶ所に板バネ本体よりスライドカバーの板厚分以上高くなるように折り曲げたスライドレールの張り出しを持ち、更に先端部もスライドレールと同一の高さに折り返すかスライドカバーを避け各板バネ先端部が完成時に接するように内側に折り曲げて、板バネの背板の両側２ヶ所で湾曲させクリップ状にした本体と。
板ばねに形成されたスライドレールに勘合するように両端に折り返しを設けその折り返し部の先端側１／４程度（板ばねを開閉させるのに十分な強度を持つ長さ）および後端部の隙間の間隔はスライドレールの板厚とほぼ等しく中間部は板厚以上に広く形成しスライドカバー格納時に先端部同士が接触しない程度の隙間を折り返し部に持たせ更に先端部も板ばね先端部に勘合するように或いは其のまま折り返しを設けてあり、平坦部に設けた穴を設けたスライドカバーにより構成されており。
板バネとスライドカバー間にラベルを挟み込む隙間が有る様にした上でラベルを挟み込みスライドカバー格納時に平坦部に設けた穴よりラベルを視認出来、穴の上辺に設けられた折り返しによりラベルを板バネと折り返しにより挟み保持することを可能なように形成されている。
又、スライドカバー展開時には、スライドカバーが板バネを開閉するためのグリップにもなり平坦部にあけた穴をフック等にかけることも可能でありスライドカバー格納時には挟持物からのはみ出しを極力排し、薄く表面の凹凸を最小限にした単体で開閉可能なクリップである。
【発明の詳細な説明】
【発明の詳細な説明】
【発明が属する技術分野】
【０００１】  本発明は、グリップをスライドさせ格納可能にすると共に表面を滑らかな面により構成されたクリップの発明に関するものである。
【背景技術】
【０００２】  従来の技術には、板バネの先端外面部に回転自在に取り付けたツマミによってクリップの開閉を行なう物（たとえば特許文献１参照）物。クリップ開閉装置によって開閉を行なう物（例えば特許文献２参照）がある。
以下、図１３、図１４、により従来の技術について説明する。
【特許文献１】特開２００２−０２９１８９号公報（第２頁、図２）
【特許文献２】特開平０８−１９１５４５号広報（第１頁、図１）
【発明が解決しようとする課題】
【０００３】  解決しようとする問題点は、従来のクリップはグリップが収納出来ないか収納したグリップの凹凸が嵩張る、或いはクリップの開閉に専用の器具が必要である点である
【課題を解決するための手段】
【０００４】  本発明は、クリップにスライド可能なスライドカバー兼グリップを設け格納時には挟持物からのはみ出しを極力排し、薄く表面の凹凸を最小限にした単体で開閉可能とする事を最も主要な特徴とする。
【発明を実施するための最良の形態】
【０００５】  対象物を挟む時はスライドカバーを最後端まで後退させ（板バネ先端部格納型クリップはスライドレール先端側をスライドカバー先端部の折り返しとスライドカバー本体の間にはめ込み）その後スライドカバー後端部のグリップを押すことで、板バネを開き対象物を挟む。
その後スライドカバーを前進させスライドカバーが対象物からはみ出さないようにする。
【実施例】
【０００６】  本発明は書類をクリップで挟みスライドカバーを前進させはみ出しを最小限にする。
【発明の効果】
【０００７】  スライドカバーを前進させる事により対象物からのはみ出しを極力排することが出来。ラベルに書類名等を記入しておくことでスライドカバーに開けた穴及び板バネ湾曲部間より視認が可能となり書類の判別が容易になる。
また、クリップの使用にあたりほかの器具を必要とせず。
グリップ部が平面によって構成されており、接地圧が分散され指が痛くなり難い。
さらに、片方のスライドカバーを後退させる事で、ラベル視認用穴をフック等にひっかけ保持する事も可能である。
【図面の簡単な説明】
【図１】  板バネ先端部接触型クリップの板バネの展開図である。
【図２】  板バネ先端部接触型クリップの板バネの加工図である。
【図３】  板バネ先端部接触型クリップの板バネの完成図である。
【図４】  板バネ先端部格納型クリップの板バネの展開図である。
【図５】  板バネ先端部格納型クリップの板バネの加工図である。
【図６】  板バネ先端部格納型クリップの板バネの完成図である。
【図７】  スライドカバー兼グリップの展開図である。
【図８】  スライドカバー兼グリップの完成図である。
【図９】  板バネ先端部接触型クリップのスライドカバー兼グリップ後退時の三面図である。
【図１０】  板バネ先端部接触型クリップのスライドカバー兼グリップ前進時の三面図である。
【図１１】  板バネ先端部格納型クリップのスライドカバー兼グリップ後退時の三面図である。
【図１２】  板バネ先端部格納型クリップのスライドカバー兼グリップ前進時の三面図である。
【図１３】  クリップのスライドカバー兼グリップ後退時にスライドカバー後端部のグリップを押すことで、板バネを開き対象物を挟む側面図である。
【図１４】  クリップのスライドカバー兼グリップ前進時に対象物からのはみ出しを極力排し対象物を保持する側面図である。
【図１５】  特許文献１の図面である。
【図１６】  特許文献２の図面である。
【符号の説明】
１  板バネ本体
２  スライドレール
３  湾曲部
４  先端部
５  スライドカバー本体
６  ラベル視認用穴
７  スライドレール用折り返し
８  先端部勘合用折り返し
９  ラベル保持用折り返し
１０  グリップ
【図１】
2009220550.tif 000003
【図２】
2009220550.tif 000004
【図３】
2009220550.tif 000005
【図４】
2009220550.tif 000006
【図５】
2009220550.tif 000007
【図６】
2009220550.tif 000008
【図７】
2009220550.tif 000009
【図８】
2009220550.tif 000010
【図９】
2009220550.tif 000011
【図１０】
2009220550.tif 000012
【図１１】
2009220550.tif 000013
【図１２】
2009220550.tif 000014
【図１３】
2009220550.tif 000015
【図１４】
2009220550.tif 000016
【図１５】
2009220550.tif 000017
【図１６】
2009220550.tif 000018
【手続補正書】
【提出日】平成20年5月9日(2008.5.9)
【手続補正２】
【補正対象書類名】明細書
【補正の内容】
2009220550.tif 000019
2009220550.tif 000020
2009220550.tif 000021
2009220550.tif 000022
【手続補正書】
【提出日】平成20年7月11日(2008.7.11)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【発明が属する技術分野】
【０００１】  本発明は、グリップをスライドさせ格納可能にすると共に表面を滑らかな面により構成されたクリップの発明に関するものである。
【背景技術】
【０００２】  従来の技術には、板バネの先端外面部に回転自在に取り付けたツマミによってクリップの開閉を行なう物（たとえば特許文献１参照）物。クリップ開閉装置によって開閉を行なう物（例えば特許文献２参照）がある。
以下、図１３、図１４、により従来の技術について説明する。
【特許文献１】特開２００２−０２９１８９号公報（第２頁、図２）
【特許文献２】特開平０８−１９１５４５号広報（第１頁、図１）
【発明が解決しようとする課題】
【０００３】  解決しようとする問題点は、従来のクリップはグリップが収納出来ないか収納したグリップの凹凸が嵩張る、或いはクリップの開閉に専用の器具が必要である点である
【課題を解決するための手段】
【０００４】  本発明は、クリップにスライド可能なスライドカバー兼グリップを設け格納時には挟持物からのはみ出しを極力排し、薄く表面の凹凸を最小限にした単体で開閉可能とする事を最も主要な特徴とする。
【発明を実施するための最良の形態】
【０００５】対象物を挟む時はスライドカバーを最後端まで後退させ（板バネ先端部格納型クリップはスライドレール先端側をスライドカバー先端部の折り返しとスライドカバー本体の間にはめ込み）その後スライドカバー後端部のグリップを押すことで、板バネを開き対象物を挟む。
その後スライドカバーを前進させスライドカバーが対象物からはみ出さないようにする。
【実施例】
【０００６】  本発明は書類をクリップで挟みスライドカバーを前進させはみ出しを最小限にする。
【発明の効果】
【０００７】  スライドカバーを前進させる事により対象物からのはみ出しを極力排することが出来。ラベルに書類名等を記入しておくことでスライドカバーに開けた穴及び板バネ湾曲部間より視認が可能となり書類の判別が容易になる。
また、クリップの使用にあたりほかの器具を必要とせず。
グリップ部が平面によって構成されており、接地圧が分散され指が痛くなり難い。
さらに、片方のスライドカバーを後退させる事で、ラベル視認用穴をフック等にひっかけ保持する事も可能である。
【図面の簡単な説明】
【０００８】
【図１】板バネ先端部接触型クリップの板バネの展開図である。
【図２】板バネ先端部接触型クリップの板バネの加工図である。
【図３】板バネ先端部接触型クリップの板バネの完成図である。
【図４】板バネ先端部格納型クリップの板バネの展開図である。
【図５】板バネ先端部格納型クリップの板バネの加工図である。
【図６】板バネ先端部格納型クリップの板バネの完成図である。
【図７】スライドカバー兼グリップの展開図である。
【図８】スライドカバー兼グリップの完成図である。
【図９】板バネ先端部接触型クリップのスライドカバー兼グリップ後退時の三面図である。
【図１０】板バネ先端部接触型クリップのスライドカバー兼グリップ前進時の三面図である。
【図１１】板バネ先端部格納型クリップのスライドカバー兼グリップ後退時の三面図である。
【図１２】板バネ先端部格納型クリップのスライドカバー兼グリップ前進時の三面図である。
【図１３】クリップのスライドカバー兼グリップ後退時にスライドカバー後端部のグリップを押すことで、板バネを開き対象物を挟む側面図である。
【図１４】クリップのスライドカバー兼グリップ前進時に対象物からのはみ出しを極力排し対象物を保持する側面図である。
【図１５】特許文献１の図面である。
【図１６】特許文献２の図面である。
【符号の説明】
【０００９】１  板バネ本体
２  スライドレール
３  湾曲部
４  先端部
５  スライドカバー本体
６  ラベル視認用穴
７  スライドレール用折り返し
８  先端部勘合用折り返し
９  ラベル保持用折り返し
１０  グリップ
【手続補正書】
【提出日】平成21年3月23日(2009.3.23)
【手続補正１】
【補正対象書類名】特許請求の範囲
【補正対象項目名】請求項１
【補正方法】変更
【補正の内容】
【請求項１】
板バネの左右両辺それぞれ２ヶ所に板バネよりスライドカバー兼グリップの板厚分以上高くなるように折り曲げたスライドレールの張り出しを持ち、更に先端部もスライドレールと同一の高さに折り返すか先端部勘合用折り返しを避け各板バネ先端部が完成時に接するように内側に折り曲げて、板バネの背板の両側２箇所の湾曲部で湾曲させクリップ状にした板バネと、板バネに形成されたスライドレールに勘合するように両端に折り返しを設けその折り返し部の先端側１／４程度（板バネを開閉させるのに十分な強度を持つ長さ）および後端部の隙間の間隔はスライドレールの板厚とほぼ等しく中間部は板厚以上に広く形成しスライドカバー兼グリップ格納時に先端部同士が接触しない程度の隙間を折り返し部に持たせ更に先端部も板バネ先端部に勘合するように或いは其のまま折り返しを設けてあり、平坦部にラベル視認用穴を設けたスライドカバー兼グリップにより構成されており、板バネとスライドカバー兼グリップ間にラベルを挟み込む隙間が有る様にした上でラベルを挟み込みスライドカバー兼グリップ格納時に平坦部に設けたラベル視認用穴よりラベルを視認出来、ラベル視認用穴の上辺に設けられたグリップ補強リブ兼ラベル保持用折り返しにより、ラベルを板バネとグリップ補強リブ兼ラベル保持用折り返しにより挟み保持することを可能なように形成されている、又、スライドカバー兼グリップ展開時にはスライドカバー兼グリップが板バネを開閉するためのグリップにもなり平坦部にあけたラベル視認用穴をフック等にかけることも可能でありスライドカバー兼グリップ格納時には挟持物からのはみ出しを極力排し、薄く表面の凹凸を最小限にした単体で開閉可能な事を特徴とするクリップ。
【手続補正２】
【補正対象書類名】明細書
【補正対象項目名】０００２
【補正方法】変更
【補正の内容】
【０００２】  従来の技術には、板バネの先端外面部に回転自在に取り付けたツマミによってクリップの開閉を行なう物（たとえば特許文献１参照）物。クリップ開閉装置によって開閉を行なう物（例えば特許文献２参照）がある。
以下、図１５、図１６、により従来の技術について説明する。
【特許文献１】特開２００２−０２９１８９号公報（第２頁、図２）
【特許文献２】特開平０８−１９１５４５号広報（第１頁、図１）
【手続補正３】
【補正対象書類名】明細書
【補正対象項目名】０００８
【補正方法】変更
【補正の内容】
【０００８】
【図１】  板バネ先端部接触型クリップ用の板バネの展開図である。
【図２】  板バネ先端部接触型クリップ用板バネのスライドレール部及び先端部の加工時の三面図である。
【図３】  板バネ先端部接触型クリップ用の板バネの完成図である。
【図４】  板バネ先端部格納型クリップ用の板バネの展開図である。
【図５】  板バネ先端部格納型クリップ用の板バネのスライドレール部の加工図である。
【図６】  板バネ先端部格納型クリップ用の板バネの完成図である。
【図７】  スライドカバー兼グリップの展開図である。
【図８】  スライドカバー兼グリップの完成時の正面・側面・背面・底面図である。
【図９】  板バネ先端部接触型クリップのスライドカバー兼グリップ後退時の三面図である。
【図１０】  板バネ先端部接触型クリップのスライドカバー兼グリップ前進時の三面図である。
【図１１】  板バネ先端部格納型クリップのスライドカバー兼グリップ後退時の三面図である。
【図１２】  板バネ先端部格納型クリップのスライドカバー兼グリップ前進時の三面図である。
【図１３】  クリップのスライドカバー兼グリップを後退時にスライドカバー後端部のグリップを押すことで、板バネを開き対象物を挟む側面図である。
【図１４】  クリップのスライドカバー兼グリップ前進時に対象物からのはみ出しを極力排し対象物を保持する側面図である。
【図１５】  特許文献１の図面である。
【図１６】  特許文献２の図面である。
【手続補正４】
【補正対象書類名】明細書
【補正対象項目名】０００９
【補正方法】変更
【補正の内容】
【０００９】１  背板
２  スライドレール
３  湾曲部
４  先端部
５  スライドカバー本体
６  ラベル視認用穴
７  スライドレール用折り返し
８  先端部勘合用折り返し
９  グリップ補強リブ兼ラベル保持用折り返し
１０  グリップ
【手続補正５】
【補正対象書類名】図面
【補正対象項目名】全図
【補正方法】変更
【補正の内容】
【図１】
2009220550.tif 000023
【図２】
2009220550.tif 000024
【図３】
2009220550.tif 000025
【図４】
2009220550.tif 000026
【図５】
2009220550.tif 000027
【図６】
2009220550.tif 000028
【図７】
2009220550.tif 000029
【図８】
2009220550.tif 000030
【図９】
2009220550.tif 000031
【図１０】
2009220550.tif 000032
【図１１】
2009220550.tif 000033
【図１２】
2009220550.tif 000034
【図１３】
2009220550.tif 000035
【図１４】
2009220550.tif 000036
【図１５】
2009220550.tif 000037
【図１６】
2009220550.tif 000038